【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
記録条件を設定するためのユーザインタフェースの表示に関するユーザインタフェース情報を管理するユーザインタフェース情報管理機能を備え、
前記ユーザインタフェース情報管理機能が、記録装置に設けられた、被記録媒体を収容する下段側トレイ、および当該下段側トレイの上部において給送可能位置と退避領域との間を変位可能に設けられた、被記録媒体を収容する上段側トレイを備えて構成された被記録媒体カセットのうち、前記上段側トレイの状態を検出するトレイ検出手段の検出情報に基づき、使用可能な上下いずれかのトレイに対応した記録設定画面を表示させる、
ことを特徴とするプリンタドライバ。
【請求項２】
請求項１に記載のプリンタドライバにおいて、前記トレイ検出手段の検出情報に基づき、前記上段側トレイが前記給送可能位置と前記退避領域との間の領域であって前記給送可能位置寄りに位置する場合には、前記上段側トレイに対応した記録設定画面を表示し、且つ前記上段側トレイから被記録媒体を給送する為の、予め定められた第１の処理を行い、
前記上段側トレイが前記給送可能位置と前記退避領域との間の領域であって前記退避領域寄りに位置する場合には、前記下段側トレイに対応した記録設定画面を表示し、且つ前記下段側トレイから被記録媒体を給送する為の、予め定められた第２の処理を行う、
ことを特徴とするプリンタドライバ。
【請求項３】
請求項２に記載のプリンタドライバにおいて、前記第１の処理は、前記記録装置において前記上段側トレイを変位させるモーターを駆動制御する制御部に対し、前記上段側トレイを前記給送可能位置へと変位させる指示を出す処理であり、
前記第２の処理は、前記制御部に対し、前記上段側トレイを前記退避領域へと変位させる指示を出す処理である、
ことを特徴とするプリンタドライバ。
【請求項４】
被記録媒体に記録を行う記録機構部と、
被記録媒体を収容する下段側トレイ、および当該下段側トレイの上部において給送可能位置と退避領域との間を変位可能に設けられた、被記録媒体を収容する上段側トレイを備えて構成された被記録媒体カセットと、
前記上段側トレイの状態を検出するトレイ検出手段と、
記録条件を設定するためのユーザインタフェースの表示が可能なユーザインタフェース表示部と、
使用可能な上下いずれかのトレイに対応した記録設定画面を、前記トレイ検出手段の検出情報に基づき表示する、前記ユーザインタフェース表示部の表示情報を管理するユーザインタフェース情報管理手段を備えた制御部と、
を備えたことを特徴とする記録装置。
【請求項５】
請求項４に記載の記録装置において、前記制御部は、前記トレイ検出手段の検出情報に基づき、前記上段側トレイが前記給送可能位置と前記退避領域との間の領域であって前記給送可能位置寄りに位置する場合には、前記上段側トレイに対応した記録設定画面を表示し、且つ前記上段側トレイから被記録媒体を給送する為の、予め定められた第１の処理を行い、
前記上段側トレイが前記給送可能位置と前記退避領域との間の領域であって前記退避領域寄りに位置する場合には、前記下段側トレイに対応した記録設定画面を表示し、且つ前記下段側トレイから被記録媒体を給送する為の、予め定められた第２の処理を行う、
ことを特徴とする記録装置。
【請求項６】
請求項５に記載の記録装置において、前記制御部により駆動制御されるモーターにより前記上段側トレイを変位させる構成を備え、
前記第１の処理は、前記モーターを駆動制御して前記上段側トレイを前記給送可能位置へと変位させる処理であり、
前記第２の処理は、前記モーターを駆動制御して前記上段側トレイを前記退避領域へと変位させる処理である、
ことを特徴とする記録装置。
【請求項７】
請求項４から請求項６のいずれか１項に記載の記録装置において、被記録媒体を給送する際の被記録媒体給送条件を、前記トレイ検出手段の検出情報に基づき、前記トレイ選択項目の表示を前記上段側トレイに設定する場合には当該上段側トレイ用に設定された被記録媒体給送条件を選択し、前記トレイ選択項目の表示を前記下段側トレイに設定する場合には当該下段側トレイ用に設定された被記録媒体給送条件を選択し、
前記上段側トレイ及び前記下段側トレイから被記録媒体を送り出す、前記制御部により駆動制御される給送ローラーを備え、
前記被記録媒体給送条件は、被記録媒体給送時における前記給送ローラーの総回転量が、前記上段側トレイと前記下段側トレイとで異なる、
ことを特徴とする記録装置。
【請求項８】
記録装置に設けられた被記録媒体を収容する上段側トレイ、および下段側トレイのうち、使用可能な上下いずれかのトレイに対応した記録設定画面を表示させるユーザインタフェース情報管理機能を備える、
ことを特徴とするプリンタドライバ。
【請求項９】
被記録媒体に記録を行う記録機構部と、
被記録媒体を収容する上段側トレイ、および下段側トレイと、
記録条件を設定するためのユーザインタフェースの表示が可能なユーザインタフェース表示部と、
使用可能な上下いずれかのトレイに対応した記録設定画面を表示する、前記ユーザインタフェース表示部の表示情報を管理するユーザインタフェース情報管理手段を備えた制御部と、
を備えた記録装置。
【手続補正２】
【補正対象書類名】明細書
【補正対象項目名】０００８
【補正方法】変更
【補正の内容】
【０００８】
上記課題を解決する為の、本発明の一つの態様は、記録条件を設定するためのユーザインタフェースの表示に関するユーザインタフェース情報を管理するユーザインタフェース情報管理機能を備え、前記ユーザインタフェース情報管理機能が、記録装置に設けられた、被記録媒体を収容する下段側トレイ、および当該下段側トレイの上部において給送可能位置と退避領域との間を変位可能に設けられた、被記録媒体を収容する上段側トレイを備えて構成された被記録媒体カセットのうち、前記上段側トレイの状態を検出するトレイ検出手段の検出情報に基づき、使用可能な上下いずれかのトレイに対応した記録設定画面を表示させることを特徴とするプリンタドライバである。 
また、本発明のもう一つの態様は、被記録媒体に記録を行う記録機構部と、被記録媒体を収容する下段側トレイ、および当該下段側トレイの上部において給送可能位置と退避領域との間を変位可能に設けられた、被記録媒体を収容する上段側トレイを備えて構成された被記録媒体カセットと、前記上段側トレイの状態を検出するトレイ検出手段と、記録条件を設定するためのユーザインタフェースの表示が可能なユーザインタフェース表示部と、使用可能な上下いずれかのトレイに対応した記録設定画面を、前記トレイ検出手段の検出情報に基づき表示する、前記ユーザインタフェース表示部の表示情報を管理するユーザインタフェース情報管理手段を備えた制御部と、を備えたことを特徴とする記録装置である。  
また、本発明の第１の態様に係るプリンタドライバは、記録条件を設定するためのユーザインタフェースの表示に関するユーザインタフェース情報を管理するユーザインタフェース情報管理機能を備え、前記ユーザインタフェース情報管理機能が、記録装置に設けられた、被記録媒体を収容する下段側トレイ、および当該下段側トレイの上部において給送可能位置と退避領域との間を変位可能に設けられた、被記録媒体を収容する上段側トレイを備えて構成された被記録媒体カセットのうち、上下いずれのトレイから被記録媒体を給送するかを選択するトレイ選択項目の表示を、前記上段側トレイの状態を検出するトレイ検出手段の検出情報に基づき、使用可能な上下いずれかのトレイに設定することを特徴とする。